(57)【要約】      （修正有）【課題】使用者の背骨のラインにあわせて、これに完全に接触することのできる椅背クッションの構造を提供する。また本考案は、使用者の姿勢の変化に追随し弧度を自動調整する機能を有する。【解決手段】薄板と、該薄板の上下どちらか一端であって椅子に固定される固定部１１と、該薄板の、該固定部に対向するもう一端である活動部１２と、該固定部と該活動部とを引っ張った状態で連結し、前記薄板を弓型に撓曲させる弾性体２と、からなり、使用者の背中の向き、形状および押圧に応じて前記弓型の弧度を自動的に変化させ、前記薄板が該背中と接触した状態を保持することを特徴とする椅背クッション。【選択図】図１
0003108771.tif 000002
【実用新案登録請求の範囲】
【請求項１】
薄板と、
該薄板の上下どちらか一端であって椅子に固定される固定部と、
該薄板の、該固定部に対向するもう一端である活動部と、
該固定部と該活動部とを引っ張った状態で連結し、前記薄板を弓型に撓曲させる弾性体と、
からなり、使用者の背中の向き、形状および押圧に応じて前記弓型の弧度を自動的に変化させ、前記薄板が該背中と接触した状態を保持することを特徴とする椅背クッション。
【請求項２】
前記固定部または活動部から支持板が延伸し、前記弾性体が該支持板と、前記活動部または固定部とを連結することを特徴とする請求項１に記載の椅背クッション。
【請求項３】
前記弾性体が、
前記固定部若しくは該固定部から延伸する支持板（以下本請求項において「固定部」という。）または前記活動部若しくは該活動部から延伸する支持板（以下本請求項において「活動部」という。）と一端が結合する圧縮バネと、
一端が該圧縮バネに、もう一端が該圧縮バネの結合していない前記活動部または固定部に、それぞれ連結し、かつ該圧縮バネを軸通するロッドと、からなる請求項１または２に記載の椅背クッション。
【請求項４】
前記弾性体が、前記固定部若しくは該固定部から延伸する支持板（以下本請求項において「固定部」という。）、または前記活動部若しくは該活動部から延伸する支持板（以下本請求項において「活動部」という。）、と結合する伸縮バネと、
一端が該伸縮バネに、もう一端が該伸縮バネの結合していない前記活動部または固定部に、それぞれ導線凸柱にて連結する導線導管と、からなる請求項１または２に記載の椅背クッション。
【請求項５】
請求項１乃至４に記載の椅背クッションを背もたれに具備する椅子。
【考案の詳細な説明】
【技術分野】
【０００１】
本考案は椅子の椅背クッションに関するものであり、具体的には使用者の背骨のラインにあわせて椅背クッション外形の弧度を自動調整することのできる椅背クッションに関するものである。
【背景技術】
【０００２】
図１０に例示する、椅子の背もたれを構成する弾力性のあるクッション部（以下、「椅背クッション」という。）に、その弓型に撓んだ外形形状（以下、弓型の撓み度合いを「弧度」という。）の調整機能を有する従来の椅背調整式椅子は、長時間椅子に座っても疲れないよう、使用者の姿勢にあわせて椅背クッションの弧度を調整できるよう設計されているが、下記の問題点があった。
【０００３】
第一に、弧度を調整するために調整器を設置し、導線によりコントロールする必要があり、製造コストがかかるため、一般の椅子には適用されにくく、汎用性に限界があった。
【０００４】
第二に、使用者により座る姿勢が異なり、また、同じ使用者でもその都度姿勢が変化するため、背中と完全に接触させるためには、その都度調整器によって弧度を調整する必要があり不便であった。
【考案の開示】
【考案が解決しようとする課題】
【０００５】
本考案により解決しようとする課題は、使用者の姿勢が変化しても自動的にそれに追随する弧度調整機能を有し、使用者の背骨のラインにあわせて背中との完全接触を保つことのできる椅背クッションを少ない部品点数で実現することである。
【課題を解決するための手段】
【０００６】
そこで本考案者は鋭意検討の結果、
（１）薄板と、
該薄板の上下どちらか一端であって椅子に固定される固定部と、
該薄板の、該固定部に対向するもう一端である活動部と、
該固定部と該活動部とを引っ張った状態で連結し、前記薄板を弓型に撓曲させる弾性体と、
からなり、使用者の背中の向き、形状および押圧に応じて前記弓型の弧度を自動的に変化させ、前記薄板が該背中と接触した状態を保持することを特徴とする椅背クッション。
によって上記課題を解決できることに想到し、もって本考案の完成に至った。
【０００７】
また、本考案は、その具体的な実施の形態として以下の各関連考案をも含むものである。
（２）前記固定部または活動部から支持板が延伸し、前記弾性体が該支持板と、前記活動部または固定部とを連結することを特徴とする（１）に記載の椅背クッション。
（３）前記弾性体が、
前記固定部若しくは該固定部から延伸する支持板（以下本項において「固定部」という。）または前記活動部若しくは該活動部から延伸する支持板（以下本項において「活動部」という。）と一端が結合する圧縮バネと、
一端が該圧縮バネに、もう一端が該圧縮バネの結合していない前記活動部または固定部に、それぞれ連結し、かつ該圧縮バネを軸通するロッドと、からなる（１）または（２）に記載の椅背クッション。
（４）前記弾性体が、前記固定部若しくは該固定部から延伸する支持板（以下本項において「固定部」という。）、または前記活動部若しくは該活動部から延伸する支持板（以下本項において「活動部」という。）、と結合する伸縮バネと、
一端が該伸縮バネに、もう一端が該伸縮バネの結合していない前記活動部または固定部に、それぞれ導線凸柱にて連結する導線導管と、からなる（１）または（２）に記載の椅背クッション。
（５）（１）乃至（４）に記載の椅背クッションを背もたれに具備する椅子。
【考案の効果】
【０００８】
本考案にかかる椅背クッションは、少ない部品点数によって使用者の背中の向き、形状および押圧にあわせてこれに完全接触をすることが可能である。さらに使用者の姿勢が変化した場合もこれに追随し、弧度を自動調整させる機能を有する。
【考案を実施するための最良の形態】
【０００９】
本考案について、望ましい実施の形態を以下に図面を用いて具体的に説明する。ただし本考案は以下の実施の形態に限定されるものではない。図１は、本考案にかかる椅背クッションの第１の実施の形態を表す分解斜視図であり、１０は椅背クッション、１１は固定部、１２は活動部、１３は支持板、２は弾性体、２１は弾性体２の例としての伸縮バネである。
【００１０】
また図１の椅背クッションの側面図を図２に示し、更に使用者が着座した時の動作を図３から５の側面図を用いて説明する。２０は椅子、２０１は椅背板である。
【００１１】
図１の椅背クッション１０は、図示しない椅子２０の背もたれ部の内部構造であり、図２に示されるようボルトなどの緊締具を用いて椅子２０または椅背板２０１と接合され、更に使用者の使用感を向上するためカバーにて被覆された状態で椅子２０を構成する。ただし該カバーは、椅子２０のデザインや椅背クッション１０の形状および材質如何によっては不要であるため、本考案の必須の構成要素ではない。
【００１２】
薄板からなる椅背クッション１０は、上下のどちらか一端が固定されることにより、固定部１１をなす。図１では下側を固定するものとして図示しているが、これに限られるものではない。また、固定部１１と対向するもう一端が活動部１２をなし、弾性体２が連結する。弾性体２は活動部１２と固定部１１、またはこれらと後述する支持板１３とを引っ張った状態で連結するため、図２に示す如く、椅背クッション１０は弓型に撓曲し、弧度が大きい状態で椅子２０または椅背板２０１に固定される。
【００１３】
図３は椅背クッション１０を内部に備える椅子２０の全体側面図である。椅背クッション１０は図２と同様、弧度が大きい状態で静置されている。
【００１４】
椅背クッション１０の材質は特に限定されないが、薄板の状態で十分な弾力性があり、更に加工性、入手性なども考慮すると鉄またはアルミなどの金属板、硬質プラスチックなどが好適に用いられる。またかかる薄板の厚さや形状は特に限定されず、板厚は均一であっても局所的に厚さが異なってもよい。また形状も略矩形に限定されず、円形、長円形なども採りうる。なお、該薄板は弾性体２にて弓型に撓曲した状態で保持されるため、初期形状においても僅かに凸状に撓ませておくことが動作の安定の観点から好適である。
【００１５】
固定部１１、活動部１２および支持板１３は椅背クッション１０と一体として曲げ加工などにより成形することもできるが、これに限られない。椅背クッション１０と同一または異なる材料からなる別部品として成形し、機械的に接合させることも可能である。
【００１６】
図４は、使用者が椅子２０に座り、背中が椅背クッション１０を押した状態を示している。弾性体２は背中の押す力の度合いに応じて長さを変化させ、椅背クッション１０の弧度曲線が背中に対応して変形する。すなわち、使用者が背中で強く背もたれを押すことにより、椅背クッション１０の撓みが解放され弧度が小さくなるが、その際のストレスは弾性体２の延伸によって吸収するため、椅背クッション１０と、椅子２０や椅背板２０１の全体的な位置関係は保ったまま椅背クッション１０自体の形状のみが変化する。
【００１７】
上記構造により弾性体２は椅背クッション１０の活動部１２に連結しているため、椅子２０に使用者が座り、椅背クッション１０に圧力が加わるとき、椅背クッション１０はそれにあわせて変形し、弧度が小さくなり、活動部１２と固定部１１との距離が広がる（図４）。弾性体２は長さが伸びるに従い、反作用として椅背クッション１０に弾性力を与えるため、使用者の背中の弧度や曲線に対し完全接触し、これを支持するだけでなく、使用者が姿勢を変えるたびに追随して椅背クッション１０の形状を変化させることができる（図５）。これにより椅背クッション１０は使用者の背骨のラインに合わせて背中に完全に接触した状態を保持することのできる弧度自動調節の目的を達成することができる。
【００１８】
また、図１に示すように、椅背クッション１０には固定部１１側、および／または活動部１２側に支持板１３を延設し、弾性体２の長さを短くすることもできる。これにより椅背クッション１０のサイズによらず弾性体２の部品を共通化するなどコストメリットが図られる。
【００１９】
図６は、本考案にかかる椅背クッションの第２の実施の形態を表す分解斜視図であり、２２は弾性体２の例としての圧縮バネ、３は長ネジロッドである。
【００２０】
支持板１３は一端に穴１４を有し、椅背クッション１０は一端（同図では上方）にみぞ穴１５を有する。長ネジロッド３は圧縮バネ２２を貫通した状態で、ネジ側の端部が下方より穴１４およびみぞ穴１５に挿貫され、ナット３１にて椅背クッション１０と結合される。
【００２１】
図７に示すように、椅背クッション１０は初期状態で長ネジロッド３および圧縮バネ２２により、弧度が大きい状態で椅子２０または椅背板２０１に接合している。図示しない椅子２０に使用者が座り、椅背クッション１０に圧力が加わり、それにあわせて椅背クッション１０が変形すると、長ネジロッド３は上方に引っ張られるため、圧縮バネ２２は圧縮される。
【００２２】
かかる圧縮バネ２２は反作用としての復元力を椅背クッション１０に与えるため、椅背クッション１０自体の弾性力と相乗的に、使用者の背中の弧度や曲線にあわせて形状をフィットさせる。これにより椅背クッション１０の弧度を自動調整する目的を達成することができる。
【００２３】
弾性体２は活動部と固定部、またはこれらと支持板との間に弾性力を与えるために用いるが、本考案による課題の解決にあたっては、必ずしも空間的にこれら同士の間に設けられ、これら同士を直接連結しなければならないものではない。
【００２４】
図８は、本考案にかかる椅背クッションの第３の実施の形態を表す分解斜視図であり、２１は弾性体２の例としての伸縮バネ、４は導線導管、４１は導線凸柱、１６が導管孔、１７は凸柱嵌合みぞである。
【００２５】
すなわち、固定部から延設する支持板１３と、図中上方の活動部とは導線によって連結され、伸縮バネ２１は支持板１３の導管孔１６を挟んでこれらの外側（図中下方）に設けられている。
【００２６】
この場合も、椅背クッション１０が使用者から押圧された際には活動部とともに嵌合みぞ１７は上方へ移動し、該嵌合みぞ１７と嵌合している導線の端部である導線凸柱４１は引き上げられる。するともう一端側の導線凸柱４１は、連設する伸縮バネ２１を伸長させるため、椅背クッション１０は図１に示した本考案の第１の実施の形態と同様の動作をすることとなる。導線導管４は、かかる導線を伸縮させ、導線凸柱４１を両端に有する部品である。以上のように、本実施の形態にかかる椅背クッション１０によってもまた、椅背クッション１０の弧度自動調整の目的を達成することができる。
【実施例１】
【００２７】
図８に示した第３の実施の形態に基づき、更に弾性体２の変形時に物が挟まったり、あるいは弾性体２と椅背板２０１の接触による雑音を防止したりするための装着管６を設けた椅背クッション１０について、実施例として図９に分解斜視図にて示す。
【００２８】
導線と弾性体２の結合部には、同図に示すように滑車を備え、椅背クッション１０の急激な弧度の変形を導線から滑らかに弾性体２に伝えるとともに、装着管６による弾性体２の円滑な動作および防音効果を図るのも好適である。
【産業上の利用可能性】
【００２９】
本考案にかかる椅背クッションは、使用者の背中の向き、形状および押圧に追随して弧度を自動調整させ、背中と完全接触を保つ機能を有するものである。本椅背クッションは、背もたれを有するタイプの椅子であれば事務用、学習用、インテリア用、マッサージ用など各種の椅子に用いることが可能である。
【図面の簡単な説明】
【００３０】
【図１】本考案の第１の実施の形態を表わす分解斜視図である。
【図２】本考案の第１の実施の形態を表わす組み合わせ状態図である。
【図３】本考案の使用状態図（初期状態）である。
【図４】本考案の使用状態図（背中押圧時）である。
【図５】本考案の使用状態図（姿勢変化時）である。
【図６】本考案の第２の実施の形態を表わす分解斜視図である。
【図７】本考案の第２の実施の形態を表わす組み合わせ状態図である。
【図８】本考案の第３の実施の形態を表わす分解斜視図である。
【図９】本考案の実施例を表わす分解斜視図である。
【図１０】従来技術の構造を表す分解斜視図である。
【符号の説明】
【００３１】
１０    椅背クッション
１１    固定部
１２    活動部
１３    支持板
１４    穴
１５    みぞ穴
１６    導管孔
１７    凸柱嵌合みぞ
２０    椅子
２０１  椅背板
２      弾性体
２１    伸縮バネ
２２    圧縮バネ
３      長ネジロッド
３１    ナット
４      導線導管
４１    導線凸柱
６      装着管
【図１】
0003108771.tif 000003
【図２】
0003108771.tif 000004
【図３】
0003108771.tif 000005
【図４】
0003108771.tif 000006
【図５】
0003108771.tif 000007
【図６】
0003108771.tif 000008
【図７】
0003108771.tif 000009
【図８】
0003108771.tif 000010
【図９】
0003108771.tif 000011
【図１０】
0003108771.tif 000012